(57)【要約】【課題】ＰＯＳ端末に読取装置と通信し識別情報を処理する機能を設けることなく、読取装置で読み取られた識別情報に基づく処理を実行できるようにする。【解決手段】ＰＯＳシステム１は、会員情報を読み取り、送信する読取装置１５と、決済処理を行い、決済処理に基づくレシート印刷データを送信するＰＯＳ端末８と、会員情報を受信するデバイス通信部３９、レシート印刷データを受信する通信インターフェース３５、デバイス通信部３９で受信した会員情報を記憶する記憶部３８、及び会員情報とレシート印刷データとを関連付けた第１データを送信するネットワーク通信部３７を有する印刷制御装置１２と、を備える。【選択図】図２
2015200997.tif 000002
【特許請求の範囲】
【請求項１】
識別情報を読み取り、送信する読取装置と、
決済処理を行い、前記決済処理に基づく印刷情報を送信するＰＯＳ端末と、
前記識別情報を受信する第１受信部、前記印刷情報を受信する第２受信部、前記第１受信部で受信した前記識別情報を記憶する記憶部、及び前記識別情報と前記印刷情報とを関連付けて送信する送信部を有する印刷制御装置と、
を備えることを特徴とするＰＯＳシステム。
【請求項２】
前記印刷制御装置の前記送信部で送信された関連付けられた前記識別情報と前記印刷情報とを受信する通信部、及び前記通信部で受信した関連付けられた前記識別情報と前記印刷情報とに基づく処理を行う制御部を有する管理装置を備える請求項１に記載のＰＯＳシステム。
【請求項３】
前記印刷制御装置は、所定の信号を受信し、前記所定の信号を受信したときに前記記憶部に記憶された前記識別情報を消去する識別情報処理部を有する請求項１又は２に記載のＰＯＳシステム。
【請求項４】
前記読取装置は、前記所定の信号を送信し、
前記印刷制御装置の前記第１受信部で前記所定の信号を受信する請求項３に記載のＰＯＳシステム。
【請求項５】
前記印刷制御装置は、前記印刷情報に基づいて印刷を行う印刷部を有する請求項１乃至４のいずれか１項に記載のＰＯＳシステム。
【請求項６】
前記印刷制御装置は、前記印刷情報の受信に基づいて無線信号を送信する信号送信部を有し、
前記信号送信部で送信された信号を受信する端末を備える請求項１乃至５のいずれか１項に記載のＰＯＳシステム。
【請求項７】
識別情報を受信する第１受信部と、
印刷情報を受信する第２受信部と、
前記第１受信部で受信した前記識別情報を記憶する記憶部と、
前記識別情報と前記印刷情報とを関連付けて送信する送信部と、
を有することを特徴とする印刷制御装置。
【発明の詳細な説明】
【技術分野】
【０００１】
本発明は、ＰＯＳ端末を備えるＰＯＳシステム、及び、ＰＯＳシステムに用いられる印刷制御装置に関する。
【背景技術】
【０００２】
従来、ＰＯＳ端末に接続されたカードＲ／Ｗ装置で会員情報を読み取り、読み取り結果を用いて電子レシートを発行するシステムが知られている（例えば、特許文献１参照）。
【先行技術文献】
【特許文献】
【０００３】
【特許文献１】特開２０１３−２２２２２６号公報
【発明の概要】
【発明が解決しようとする課題】
【０００４】
上述した特許文献１のシステムで、カードＲ／Ｗ装置等の読取装置で読み取られた識別情報（会員情報）に基づく処理を行うためには、ＰＯＳ端末が、読取装置と通信し読取装置から入力された識別情報を処理する機能を有している必要があり、このような機能を有していないＰＯＳ端末を用いて、読み取られた識別情報に基づく処理を行うことができなかった。
本発明は、上述した事情に鑑みてなされたものであり、ＰＯＳ端末に読取装置と通信し識別情報を処理する機能を設けることなく、読取装置で読み取られた識別情報に基づく処理を実行可能なＰＯＳシステム、及び、当該ＰＯＳシステムに用いられる印刷制御装置を提供することを目的とする。
【課題を解決するための手段】
【０００５】
上記目的を達成するために、本発明のＰＯＳシステムは、識別情報を読み取り、送信する読取装置と、決済処理を行い、前記決済処理に基づく印刷情報を送信するＰＯＳ端末と、前記識別情報を受信する第１受信部、前記印刷情報を受信する第２受信部、前記第１受信部で受信した前記識別情報を記憶する記憶部、及び前記識別情報と前記印刷情報とを関連付けて送信する送信部を有する印刷制御装置と、を備えることを特徴とする。
本発明の構成によれば、ＰＯＳ端末と通信する印刷制御装置が、読取装置から識別情報を受信して処理を実行する。このため、ＰＯＳシステムは、ＰＯＳ端末に読取装置と通信し識別情報を処理する機能を設けることなく、読取装置で読み取られた識別情報に基づく処理を実行可能である。
【０００６】
また、前記印刷制御装置の前記送信部で送信された関連付けられた前記識別情報と前記印刷情報とを受信する通信部、及び前記通信部で受信した関連付けられた前記識別情報と前記印刷情報とに基づく処理を行う制御部を有する管理装置を備える。
本発明の構成によれば、管理装置は、受信した識別情報、及び、印刷情報に基づいて、識別情報と、印刷情報とを用いた処理を実行できる。
【０００７】
また、前記印刷制御装置は、所定の信号を受信し、前記所定の信号を受信したときに前記記憶部に記憶された前記識別情報を消去する識別情報処理部を有する。
本発明の構成によれば、印刷制御装置に所定の信号を送信することにより、印刷制御装置に記憶された識別情報を消去し、印刷制御装置による識別情報の送信をキャンセルできる。
【０００８】
また、前記読取装置は、前記所定の信号を送信し、前記印刷制御装置の前記第１受信部で前記所定の信号を受信する。
本発明の構成によれば、読取装置から、印刷制御装置に、所定の信号を送信することにより、印刷制御装置に記憶された識別情報を消去し、印刷制御装置による識別情報の送信をキャンセルできる。
【０００９】
また、前記印刷制御装置は、前記印刷情報に基づいて印刷を行う印刷部を有する。
本発明の構成によれば、印刷情報に基づく印刷を行う装置である印刷制御装置に、読取装置と通信し、識別情報を処理する機能を設ければよく、当該機能を有する専用の装置をＰＯＳシステムに追加する必要がない。
【００１０】
また、前記印刷制御装置は、前記印刷情報の受信に基づいて無線信号を送信する信号送信部を有し、前記信号送信部で送信された信号を受信する端末を備える。
本発明の構成によれば、端末は、無線信号を受信したことをトリガーとして所定の処理を実行できる。
【００１１】
また、本発明の印刷制御装置は、識別情報を受信する第１受信部と、印刷情報を受信する第２受信部と、前記第１受信部で受信した前記識別情報を記憶する記憶部と、前記識別情報と前記印刷情報とを関連付けて送信する送信部と、を有することを特徴とする。
本発明の構成の印刷制御装置を、ＰＯＳシステムに用いることにより、ＰＯＳシステムは、ＰＯＳ端末に読取装置と通信し識別情報を処理する機能を設けることなく、読取装置で読み取られた識別情報に基づく処理を実行可能である。
【図面の簡単な説明】
【００１２】
【図１】本実施形態に係るＰＯＳシステムの構成を示す図。
【図２】ＰＯＳシステムの機能的構成を示すブロック図。
【図３】読取装置、印刷制御装置の動作を示すフローチャート。
【図４】ＰＯＳシステムの各装置の動作を示すフローチャート。
【発明を実施するための形態】
【００１３】
以下、図面を参照して本発明の実施形態について説明する。
図１は、本実施形態に係るＰＯＳシステム１の構成を示す図である。
図１に示すように、ＰＯＳシステム１は、管理サーバー１０（管理装置）を備える。管理サーバー１０に、インターネット等のネットワークＧＮを介して複数の店舗システム１１が接続する。店舗システム１１は、スーパーマーケットや、コンビニエンスストア、デパート、飲食店等の店舗に用いられるシステムである。店舗システム１１は、店舗に来店し、会計を行った顧客に対してレシートを発行する機能を備える。
店舗システム１１は、レシートを発行可能な１又は複数の印刷制御装置１２を備える。印刷制御装置１２は、店舗内に構築されたローカルエリアネットワークＬＮと接続する。ローカルエリアネットワークＬＮに、ネットワークルーターや、モデム等の通信機器を含んで構成されたネットワーク通信制御装置１３が接続する。印刷制御装置１２は、ネットワーク通信制御装置１３を介して、ネットワークＧＮにアクセスする。
【００１４】
店舗システム１１で、印刷制御装置１２に、ＰＯＳ端末８が接続する。ＰＯＳ端末８には、ＰＯＳアプリケーションと、プリンタードライバーがインストールされる。詳細は後述するが、ＰＯＳ端末８は、ＰＯＳアプリケーション、及び、プリンタードライバーにより、印刷制御装置１２を制御して、印刷制御装置１２にレシートを発行させる。
店舗には、１又は複数のレジカウンターＲＣが設けられる。レジカウンターＲＣには、印刷制御装置１２と、印刷制御装置１２と接続するＰＯＳ端末８と、が設けられる。
【００１５】
図１で、店舗システム１１Ａは、スーパーマーケットＳＭに用いられるシステムである。スーパーマーケットＳＭには、複数のレジカウンターＲＣが設けられる。レジカウンターＲＣには、印刷制御装置１２、及び、ＰＯＳ端末８が設けられる。スーパーマーケットＳＭに来店し商品を購入する顧客は、レジカウンターＲＣで、会計を行う。ＰＯＳ端末８は、会計に応じて決済処理を行い、決済処理に基づくレシート情報の印刷を指示するレシート印刷データ（印刷情報）を印刷制御装置１２に送信する。印刷制御装置１２は、受信したレシート印刷データに基づいて、レシートを発行する。発行されたレシートは、顧客に引き渡される。
また、ネットワークＧＮに、端末１４が接続する。端末１４は、顧客が所有するタッチパネル式の携帯電話（スマートフォン）である。端末１４は、以下で説明する処理を実行する機能を有していればよく、例えば、端末１４として、タブレット型、ノート型のパソコン等を用いることができる。
【００１６】
図２は、ＰＯＳシステム１の機能的構成を示すブロック図である。
図２に示すように、ＰＯＳシステム１は、ＰＯＳ端末８と、印刷制御装置１２と、読取装置１５と、端末１４と、管理サーバー１０と、を備える。
図２に示すように、印刷制御装置１２は、装置制御部３０と、印刷部３１と、カッターユニット２０と、ＬＥＤ表示部２２と、入力部３３と、通信インターフェース３５（第２受信部）と、信号通信部３６（信号送信部）と、ネットワーク通信部３７（送信部）と、記憶部３８と、デバイス通信部３９（第１受信部）と、を備える。
装置制御部３０は、ＣＰＵや、ＲＯＭ、ＲＡＭ等を備え、印刷制御装置１２を制御する。装置制御部３０は、例えば、ＲＯＭが記憶するファームウェアを読み出して実行することによりプリンター２を制御する。
印刷部３１は、サーマルヘッドや、ロール紙Ｒの搬送機構、その他のロール紙Ｒへの印刷に関する機構を備え、装置制御部３０の制御で、ロール紙Ｒにドットを形成し、印刷を実行する。
入力部３３は、印刷制御装置１２に設けられた電源スイッチ２３や操作スイッチ２１等のスイッチに対する操作を検出し、装置制御部３０に出力する。
通信インターフェース３５は、装置制御部３０の制御で、所定の通信規格に従って、ＰＯＳ端末８と通信する。
信号通信部３６は、無線アンテナや、無線通信で送受信するデータにエンコードや、デコード、変調や、復調等を行う信号処理回路等を備える。信号通信部３６は、装置制御部３０の制御で、ビーコン信号を無線通信で送信する機能を有する。信号通信部３６は、装置制御部３０の制御で、後述する情報を含むビーコン信号を後述する所定のタイミングで送信する。
ネットワーク通信部３７は、装置制御部３０の制御で、所定の通信規格に従って、ネットワークＧＮを介して、ネットワークＧＮと接続する機器（管理サーバー１０を含む）と通信する。
記憶部３８は、不揮発性メモリーを備え、データを記憶する。
デバイス通信部３９は、装置制御部３０の制御で、デバイスとしての読取装置１５と通信する。
【００１７】
図２に示すように、読取装置１５は、非接触型のＩＣカードを読み取るＩＣカードリーダーである。読取装置１５は、ＩＣカードとの間で、所定の規格に従って近距離無線通信を行ってＩＣカードを読み取り、ＩＣカードに記憶された情報を取得する。以下、読取装置１５がＩＣカードを読み取って取得した情報を「読取情報」という。
【００１８】
図２に示すように、端末１４は、端末制御部５０と、タッチパネル５１と、無線通信部５２と、データ通信部５３と、端末記憶部５４と、を備える。
端末制御部５０は、ＣＰＵや、ＲＯＭ、ＲＡＭ等を備え、端末１４を制御する。
タッチパネル５１は、端末１４の前面に設けられた表示パネル５１ａと、表示パネル５１ａに重ねて設けられたタッチセンサー５１ｂとを備える。表示パネル５１ａは、液晶表示パネルや、有機ＥＬパネル等のディスプレーである。タッチセンサー５１ｂは、静電容量式や、感圧式等のセンサーであり、ユーザーの手指やペン型操作デバイスによるタッチ操作を検出して、端末制御部５０に送信する。
無線通信部５２は、端末制御部５０の制御で、印刷制御装置１２で送信されたビーコン信号を受信する。
データ通信部５３は、端末制御部５０の制御で、所定の通信規格に従って、ネットワークＧＮを介して、ネットワークＧＮと接続する機器（管理サーバー１０を含む）と通信する。
端末記憶部５４は、不揮発性メモリーを備え、データを記憶する。
【００１９】
端末１４には、所定のアプリケーション（以下、「端末アプリケーションＡＰ」という。）が予めインストールされる。端末アプリケーションＡＰは、印刷制御装置１２を制御する機能、印刷制御装置１２と通信する機能、その他の印刷制御装置１２に関する機能を有するソフトウェアである。端末１４の端末制御部５０は、端末アプリケーションＡＰを実行して処理を実行する端末アプリケーション実行部５０ａを備える。
【００２０】
管理サーバー１０は、ネットワークＧＮと接続するサーバー装置であり、サーバー制御部６０（制御部）と、通信部６１と、サーバー記憶部６２と、を備える。
サーバー制御部６０は、ＣＰＵや、ＲＯＭ、ＲＡＭ等を備え、管理サーバー１０を制御する。
通信部６１は、サーバー制御部６０の制御で、所定の通信規格に従って、ネットワークＧＮを介して、ネットワークＧＮと接続する機器と通信する。
サーバー記憶部６２は、不揮発性メモリーを備え、データを記憶する。
【００２１】
読取装置１５、及び、印刷制御装置１２の処理について説明する。
図３は、読取装置１５による読み取りが行われた場合の読取装置１５、及び、印刷制御装置１２の動作を示すフローチャートである。図３（Ａ）は読取装置１５の動作を示し、（Ｂ）は印刷制御装置１２の動作を示す。
図３を用いた以下の説明において、装置制御部３０は、「識別情報処理部」として機能する。
図３（Ａ）に示すように、対応する所定の通信規格のＩＣカードが、読取装置１５が有するアンテナに近接した場合（ステップＳＸ１）、読取装置１５は、以下の処理を実行する。読取装置１５は、所定の通信規格に従って、ＩＣカードに記憶された情報を読み取り（ステップＳＡ１）、読取情報を取得する（ステップＳＡ２）。
本実施形態では、ＩＣカードとして、レジカウンターＲＣで会計を行う顧客が所有する会員カードＣ１と、印刷制御装置１２に後述する処理を行わせる場合に読み取りが行われるキャンセルカードＣ２と、がある。会員カードＣ１には、会員としての顧客を識別する会員情報（識別情報）が記憶される。また、キャンセルカードＣ２には、会員情報とは異なる値のキャンセル情報が記憶される。
次いで、読取装置１５は、取得した読取情報を、印刷制御装置１２に送信する（ステップＳＡ３）。
読取情報がキャンセル情報の場合、ステップＳＡ３の処理は、「読取装置１５が所定の信号を送信する処理」に相当する。
【００２２】
図３（Ｂ）に示すように、印刷制御装置１２の装置制御部３０は、デバイス通信部３９を制御して、読取情報を受信する（ステップＳＢ１）。
次いで、装置制御部３０は、受信した読取情報が、会員情報であるか、キャンセル情報であるかを判別する（ステップＳＢ２）。なお、装置制御部３０は、キャンセル情報の値を管理しており、受信した読取情報が、会員情報であるか、キャンセル情報であるかを判別可能である。
読取情報が会員情報である場合（ステップＳＢ２：「会員情報」）、装置制御部３０は、会員情報を、所定の記憶領域に記憶する（ステップＳＢ３）。本実施形態では、所定の記憶領域は、記憶部３８に形成された記憶領域である。所定の記憶領域は、記憶部３８以外の他の記憶媒体に形成された記憶領域であってもよい。
一方、読取情報がキャンセル情報である場合（ステップＳＢ２：「キャンセル情報」）、装置制御部３０は、所定の記憶領域に記憶された会員情報を消去する（ステップＳＢ４）。
以上の説明したように、本実施形態によれば、キャンセルカードＣ２を読取装置１５に読み取らせることにより、印刷制御装置１２に記憶された会員情報を消去できる。従って、誤って会員カードＣ１の読み取りが行われ、会員カードＣ１に記憶された会員情報が、印刷制御装置１２に記憶された場合であっても、キャンセルカードＣ２を読取装置１５に読み取らせることにより、印刷制御装置１２に記憶された会員情報を消去できる。これにより、後述するように、誤って読み取られた会員カードＣ１に記憶された会員情報が、印刷制御装置１２から管理サーバー１０に送信されることを防止できる。
【００２３】
上述したように、ＰＯＳシステム１は、店舗に来店した顧客の会計に応じて、紙媒体のレシートを発行する。本実施形態に係るＰＯＳシステム１は、紙媒体のレシートのほか、会計を行った顧客に、電子レシートを提供する。
以下、ＰＯＳシステム１の各装置の動作について詳述する。
【００２４】
図４は、ＰＯＳシステム１の各装置の動作を示すフローチャートであり、（Ａ）はＰＯＳ端末８の動作を、（Ｂ）は印刷制御装置１２の動作を、（Ｃ）は端末１４の動作を、（Ｄ）は管理サーバー１０の動作を示す。
図４で、端末１４は、会計を行う顧客が所有し、印刷制御装置１２は、顧客が会計を行うレジカウンターＲＣに設けられる。従って、顧客が会計を行っている間、つまり、顧客がレジカウンターＲＣにいる間、端末１４とは、印刷制御装置１２が無線通信で送信するビーコン信号を受信可能な程度に、印刷制御装置１２に近接する。
また、以下の図４を用いた説明では、予め端末１４の端末アプリケーションＡＰが立ち上げられる。
【００２５】
図４（Ａ）に示すように、ＰＯＳ端末８は、顧客の会計に応じて決済処理を行い、決済処理に基づいてレシート印刷データを生成する（ステップＳＣ１）。レシート印刷データは、「印刷情報」に相当する。
詳述すると、ＰＯＳ端末８は、機能ブロックとして、ＰＯＳアプリケーションを実行するＰＯＳアプリケーション実行部と、プリンタードライバーを実行するプリンタードライバー実行部と、を備える。
ＰＯＳアプリケーション実行部は、顧客の会計に応じて、レシートに印刷する情報を含むレシート情報を生成する。レシート情報は、レシートに印刷するロゴや、レシートの発行日時、顧客が購入した商品の名称、商品の単価、購入した商品の数量、税に関する情報、小計、顧客から受け取った金銭の額、お釣りを示す情報、その他の情報を含む情報である。図示は省略するが、ＰＯＳ端末８には、商品や商品の包装等に付されたバーコードを読み取るバーコードリーダーや、顧客の会員カード等のカードを読み取るカードリーダーが接続される。ＰＯＳアプリケーション実行部は、店舗に来店した顧客の会計に際し、バーコードリーダーや、カードリーダーからの入力、また、テンキー等の入力手段に対するレジ担当者の入力に基づいて、商品マスターや顧客マスターから必要な情報を取得して、レシート情報を生成する。
レシート情報の生成後、プリンタードライバー実行部は、印刷制御装置１２のコマンド体系に従った制御データであって、レシート情報の印刷を指示するレシート印刷データを生成する。
次いで、ＰＯＳ端末８は、生成したレシート印刷データを、印刷制御装置１２に送信する（ステップＳＣ２）。
【００２６】
図４（Ｂ）に示すように、印刷制御装置１２の装置制御部３０は、通信インターフェース３５を制御して、レシート印刷データを受信する（ステップＳＤ１）。
次いで、装置制御部３０は、レシート印刷データに基づいて、印刷部３１や、カッターユニット２０等を制御して、ロール紙Ｒにレシート情報を印刷して、レシートを発行する（ステップＳＤ２）。
次いで、装置制御部３０は、所定の期間に、読取装置１５による会員カードＣ１の読み取りが行われたか否かを判別する（ステップＳＤ３）。上述したように、読取装置１５による会員カードＣ１の読み取りが行われた場合、読取装置１５は、読取情報を印刷制御装置１２に送信する。印刷制御装置１２の装置制御部３０は、受信した読取情報が会員情報である場合、所定の記憶領域に会員情報を記憶する。
会員カードを所有する顧客であって、電子レシートの提供を望む顧客は、会計に際し、レジカウンターＲＣに設けられた印刷制御装置１２と接続する読取装置１５に会員カードＣ１を近づけ、会員カードの読み取りを行わせる。読取装置１５は、顧客がアクセスしやすい場所に設置されている。
ステップＳＤ３では、装置制御部３０は、所定の期間に、読取装置１５による会員カードＣ１の読み取りが行われたか否か（顧客が会員カードＣ１の読み取りを行わせたか否か）を判別する。
所定の期間とは、例えば、１つ前の印刷制御データに基づくレシートを発行した後、ステップＳＤ１で印刷制御データを受信するまでの期間である。当該期間に、読取装置１５によって会員カードＣ１の読み取りが行われた場合であって、当該読み取りの後にキャンセルカードＣ２の読み取りが行われなかった場合、所定の記憶領域に会員情報が記憶される。このことに基づき、ステップＳＤ３で、装置制御部３０は、所定の記憶領域に会員情報が記憶されているか否かを判別することにより、所定の期間に読取装置１５による会員カードＣ１の読み取りが行われたか否かを判別する。
また、例えば、レジ担当者が、所定の操作スイッチを操作する等して、所定の期間の開始と終了とを設定する構成であってもよい。この場合、例えば、所定の期間以外の期間に会員カードＣ１が読み取られた場合であっても、会員カードＣ１に記憶された会員情報を所定の記憶領域に記憶しない構成とする。そして、ステップＳＤ３で、装置制御部３０は、所定の記憶領域に会員情報が記憶されているか否かを判別し、所定の期間に読取装置１５による会員カードＣ１の読み取りが行われたか否かを判別する。
【００２７】
ステップＳＤ３で、所定の期間に会員カードＣ１の読み取りが行われていないと判別した場合（ステップＳＤ３：ＮＯ）、装置制御部３０は、通常の処理を実行する（ステップＳＤ４）。ステップＳＤ４の処理の説明は省略する。
ステップＳＤ３で、所定の期間に会員カードＣ１の読み取りが行われたと判別した場合（ステップＳＤ３：ＹＥＳ）、装置制御部３０は、以下の処理を実行する（ステップＳＤ５）。なお、この場合、所定の記憶領域に、読み取られた会員カードＣ１に記憶された会員情報が記憶された状態である。
ステップＳＤ５で、装置制御部３０は、ネットワーク通信部３７を制御して、ステップＳＤ１で受信したレシート印刷データと、所定の記憶領域に記憶された会員情報とを関連付けた第１データを管理サーバー１０に送信する。
なお、管理サーバー１０のアドレス等、管理サーバー１０との通信に必要な情報は、印刷制御装置１２に予め記憶されている。ステップＳＤ５で、装置制御部３０は、ネットワーク通信部３７を制御して、管理サーバー１０との間でコネクションを確立し、コネクションで第１データを送信する。
次いで、装置制御部３０は、所定の記憶領域に記憶された会員情報を消去する（ステップＳＤ６）。
【００２８】
図４（Ｄ）に示すように、管理サーバー１０のサーバー制御部６０は、通信部６１を制御して、会員情報、及び、レシート印刷データを関連付けた第１データを受信する（ステップＳＦ１）。
次いで、サーバー制御部６０は、レシート発行日時を取得する（ステップＳＦ２）。レシート発行日時とは、レシート印刷データに基づくレシート（ステップＳＤ２の処理で発行されたレシート）が発行された日時である。例えば、サーバー制御部６０は、ステップＳＦ１で第１データを受信した日時をレシート発行日時として取得する。また、例えば、サーバー制御部６０は、印刷制御データにレシートの発行日時を示す情報が含まれている場合は、当該情報を抽出し、当該情報が示す日時をレシート発行日時として取得する。
次いで、サーバー制御部６０は、レシート管理データベースＤＢ１にアクセスする（ステップＳＦ３）。
レシート管理データベースＤＢ１は、会員情報と、レシート発行日時と、レシート印刷データと、を対応付けて記憶するデータベースである。
次いで、サーバー制御部６０は、レシート管理データベースＤＢ１に１件のレコードを生成し、当該レコードで、ステップＳＦ１で受信した会員情報と、ステップＳＦ２で取得したレシート発行日時と、ステップＳＦ１で受信したレシート印刷データと、を対応付ける（ステップＳＦ４）。
次いで、サーバー制御部６０は、レシート管理データベースＤＢ１に対応するレコードの作成が完了したことを通知する登録通知データを生成し、通信部６１を制御して、登録通知データを印刷制御装置１２に送信する（ステップＳＦ５）。
ステップＳＦ５で、サーバー制御部６０は、印刷制御装置１２との間で確立したコネクションで登録通知データを送信する。
【００２９】
図４（Ｂ）に示すように、印刷制御装置１２の装置制御部３０は、ネットワーク通信部３７を制御して、登録通知データを受信する（ステップＳＤ７）。
次いで、装置制御部３０は、信号通信部３６を制御して、所定のビーコン信号を、無線通信で送信する（ステップＳＤ８）。
【００３０】
図４（Ｃ）に示すように、端末１４の端末制御部５０の端末アプリケーション実行部５０ａは、無線通信部５２を制御して、ビーコン信号を受信する（ステップＳＥ１）。
次いで、端末アプリケーション実行部５０ａは、会員情報を含み、電子レシートの提供を要求する要求データを生成し、データ通信部５３を制御して、管理サーバー１０に送信する（ステップＳＥ２）。
なお、端末アプリケーション実行部５０ａは、会員情報を管理する。例えば、端末アプリケーション実行部５０ａは、顧客に対して、会員情報を入力する欄が設けられたユーザーインターフェースを提供し、当該ユーザーインターフェースに入力された会員情報を所定の記憶領域に記憶することにより、会員情報を管理する。
管理サーバー１０のアドレス等、管理サーバー１０との通信に用いる情報は、端末１４に予め記憶されている。ステップＳＥ２で、端末アプリケーション実行部５０ａは、データ通信部５３を制御して、管理サーバー１０との間でコネクションを確立し、コネクションで要求データを送信する。
【００３１】
図４（Ｄ）に示すように、管理サーバー１０のサーバー制御部６０は、通信部６１を制御して、要求データを受信する（ステップＳＦ６）。
次いで、サーバー制御部６０は、レシート管理データベースＤＢ１にアクセスする（ステップＳＦ７）。
次いで、サーバー制御部６０は、ステップＳＦ６で受信した要求データに含まれる会員情報をキーとして、レシート管理データベースＤＢ１で当該会員情報と対応付けられたレシート印刷データを取得する（ステップＳＦ８）。
なお、会員情報と対応付けられたレシート印刷データが複数ある場合は、サーバー制御部６０は、対応付けられたレシート発行日時が、現在の日時に最も時間的に近いものを取得する。
次いで、サーバー制御部６０は、ステップＳＦ８で取得したレシート印刷データに基づいて、レシート表示データを生成する（ステップＳＦ９）。レシート表示データは、レシート情報を表示させる所定のファイル形式の表示ファイルである。所定のファイル形式は、例えば、ＨＴＭＬやＸＭＬ等のマークアップ言語に係るファイル形式や、ＰＤＦに係るファイル形式である。レシート表示データのファイル形式は要求データで指定され、また、サーバー制御部６０は、レシート印刷データに基づいて、指定されたファイル形式のレシート表示データを生成する機能を有する。
次いで、サーバー制御部６０は、通信部６１を制御して、生成したレシート表示データを端末１４に送信する（ステップＳＦ１０）。ステップＳＦ１０で、サーバー制御部６０は、端末１４との間で確立したコネクションで、レシート表示データの送信を行う。
【００３２】
図４（Ｃ）に示すように、端末１４の端末制御部５０の端末アプリケーション実行部５０ａは、データ通信部５３を制御して、レシート表示データを受信する（ステップＳＥ３）。
次いで、端末アプリケーション実行部５０ａは、レシート表示データに基づいて、タッチパネル５１の表示パネル５１ａに、レシート情報を表示する（ステップＳＥ４）。
レシート表示ファイルに基づいて表示されるレシート情報は、電子レシートに相当する。
【００３３】
以上のように、顧客は、会計に応じて、電子レシートを受け取ることができる。ここで、本実施形態では、ＰＯＳ端末８は、読取装置１５と通信して読取情報を取得し、取得した読取情報を処理する機能を有していないが、このような機能をＰＯＳ端末８に設けることなく、印刷制御装置１２、及び、管理サーバー１０の機能により、顧客に対して電子レシートを提供できる。
なお、上述では、顧客の会計が行われた後、印刷制御装置１２、管理サーバー１０、及び、端末１４が対応する処理を実行し、管理サーバー１０から端末１４に対して自動でレシート表示データが送信される構成であった。しかしながら、会計が行われた後、顧客の要求に応じた任意のタイミングで、管理サーバー１０が電子レシートを提供する構成であってもよい。つまり、顧客が、端末１４から、所定の手段により、任意のタイミングで、会員情報を、管理サーバー１０に送信する。そして、管理サーバー１０は、受信した会員情報に基づいてレシート表示データを生成し、送信する構成であってもよい。
また、管理サーバー１０は、レシート印刷データに基づいて、レシート表示データ以外のデータを生成し、端末１４に送信する構成であってもよい。例えば、レシート印刷データに基づいて、顧客が行った会計が反映されたクーポン情報を表示させるクーポン表示データを生成し、端末１４に送信する構成であってもよい。
【００３４】
以上説明したように、本実施形態に係るＰＯＳシステム１は、会員情報（識別情報）を読み取り、送信する読取装置１５と、決済処理を行い、決済処理に基づくレシート印刷データ（印刷情報）を送信するＰＯＳ端末８と、会員情報を受信するデバイス通信部３９（第１受信部）、レシート印刷データを受信する通信インターフェース３５（第２受信部）、デバイス通信部３９で受信した会員情報を記憶する記憶部３８、及び会員情報とレシート印刷データとを関連付けた第１データ（データ）を送信するネットワーク通信部３７（送信部）を有する印刷制御装置１２と、を備える。
この構成によれば、ＰＯＳ端末８と通信する印刷制御装置１２が、読取装置１５から会員情報を受信して処理を実行する。このため、ＰＯＳシステム１は、ＰＯＳ端末８に読取装置１５と通信し会員情報を処理する機能を設けることなく、読取装置１５で読み取られた会員情報に基づく処理を実行可能である。
【００３５】
また、本実施形態に係るＰＯＳシステム１は、管理サーバー１０（管理装置）を備える。管理サーバー１０は、印刷制御装置１２のネットワーク通信部３７で送信された第１データを受信する通信部６１、及び通信部６１で受信した第１データに基づく処理を行うサーバー制御部６０（制御部）を有する。
この構成によれば、管理サーバー１０は、受信した第１データに基づいて、会員情報と、レシート印刷データとを用いた処理を実行できる。
【００３６】
また、本実施形態では、印刷制御装置１２は、キャンセル情報を示す信号（所定の信号）を受信するデバイス通信部３９、及びデバイス通信部３９でキャンセル情報を示す信号を受信したときに記憶部３８に記憶された会員情報を消去する識別情報処理部として機能する装置制御部３０を有する。
この構成によれば、印刷制御装置１２にキャンセル情報を示す信号を送信することにより、印刷制御装置１２に記憶された会員情報を消去し、印刷制御装置１２による会員情報の送信をキャンセルできる。
【００３７】
また、本実施形態では、読取装置１５は、会員情報を示す信号を送信する。
この構成によれば、読取装置１５から、印刷制御装置１２に、キャンセル情報を示す信号を送信することにより、印刷制御装置１２に記憶された会員情報を消去し、印刷制御装置１２による会員情報の送信をキャンセルできる。
【００３８】
また、本実施形態では、印刷制御装置１２は、レシート印刷データに基づいて印刷を行う印刷部３１を有する。
この構成によれば、レシート印刷データに基づく印刷を行う装置である印刷制御装置１２に、読取装置１５と通信し、会員情報を処理する機能を設ければよく、当該機能を有する専用の装置をＰＯＳシステム１に追加する必要がない。
【００３９】
また、本実施形態では、印刷制御装置１２は、レシート印刷データの受信に基づいてビーコン信号（無線信号）を送信する信号通信部３６（信号送信部）を有する。ＰＯＳシステム１は、印刷制御装置１２の信号通信部３６で送信されたビーコン信号を受信する端末１４を備える。
この構成によれば、端末１４は、ビーコン信号を受信したことをトリガーとして所定の処理を実行できる。
【００４０】
なお、上述した実施の形態は、あくまでも本発明の一態様を示すものであり、本発明の範囲内で任意に変形および応用が可能である。
例えば、上述した実施形態では、印刷制御装置１２は、印刷する機能を有していた。しかしながら、印刷制御装置１２は、必ずしも印刷する機能を有している必要はなく、例えば、印刷制御装置１２は、印刷する機能を有する印刷装置と接続し、ＰＯＳ端末８と当該印刷装置との間で送受信されるデータを仲介する中継装置であってもよい。
また、本実施形態では、読取装置１５は、ＩＣカードリーダーであった。しかしなから、読取装置１５は、光学的にコード（バーコードや、二次元コード）を読み取り装置等の読み取り機能を有する他の装置であってもよい。
また、印刷制御装置１２は、サーマル式のプリンターであったが、印刷方式はサーマル式に限らない。
また、図２の機能ブロックは、特定のハードウェア構成を示唆するものでは無い。
【符号の説明】
【００４１】
１…ＰＯＳシステム、８…ＰＯＳ端末、１０…管理装置（管理サーバー）、１２…印刷制御装置、１４…端末、１５…読取装置、３１…印刷部、３９…デバイス通信部（第１受信部）、３５…通信インターフェース（第２受信部）、３７…ネットワーク通信部（送信部）、３８…記憶部、６０…サーバー制御部（制御部）、６１…通信部。
【図１】
2015200997.tif 000003
【図２】
2015200997.tif 000004
【図３】
2015200997.tif 000005
【図４】
2015200997.tif 000006